(57)【要約】【課題】短時間でラドン吸入療法を開始できるようにする。【解決手段】ラジウム鉱石１０及び水１１を収容し、水１１にラドンが溶け込んだラドン含有水（１１）を生成するラドン溶出水槽４と、ラドン溶出水槽４内のラドン含有水（１１）をラドン含有水供給路２０に送り出すポンプ１３と、ラドン含有水供給路２０の下流側端部に配置され、ポンプ１３から送り出されたラドン含有水（１１）を貯留するラドン含有水貯留タンク２１と、ラドン含有水貯留タンク２１に設置され、ラドン含有水貯留タンク２１内のラドン含有水（１１）を加熱し、加熱したラドン含有水（１１）からラドンを分離させると共に水蒸気を生じさせるヒータ２４と、ラドン含有水貯留タンク２１内のラドンを水蒸気によってラドン吸入室まで運び、ラドン吸入療法に適したラドン濃度のラドンミストをラドン吸入室内に噴出させるラドン案内路２３と、を備えている。【選択図】図１
2016165376.tif 000002
【特許請求の範囲】
【請求項１】
放射性物質含有鉱石及び水を収容し、前記水にラドンが溶け込んだラドン含有水を生成するラドン溶出水槽と、
前記ラドン溶出水槽内の前記ラドン含有水をラドン含有水供給路に送り出すラドン含有水供給手段と、
前記ラドン含有水供給路の下流側端部に配置され、前記ラドン含有水供給手段から送り出された前記ラドン含有水を貯留するラドン含有水貯留タンクと、
前記ラドン含有水貯留タンクに設置され、前記ラドン含有水貯留タンク内のラドン含有水を加熱し、加熱したラドン含有水から前記ラドンを分離させると共に水蒸気を生じさせるラドン含有水加熱手段と、
前記ラドン含有水貯留タンク内の前記ラドンを前記水蒸気によってラドン吸入室まで運び、ラドン吸入療法に適したラドン濃度のラドンミストを前記ラドン吸入室内に噴出させるラドン案内路と、
を備えたことを特徴とするラドンミスト発生ユニット。
【請求項２】
前記ラドン溶出水槽は、水槽内の上部に冷却手段を収容する冷却手段収容部が区画形成され、前記冷却手段収容部に収容された前記冷却手段が前記水槽内の雰囲気及び前記ラドン含有水を冷却する、
ことを特徴とする請求項１に記載のラドンミスト発生ユニット。
【請求項３】
前記ラドン溶出水槽は、伸縮自在な空気袋が内部に収容されると共に、水が空気と接触しないように収容され、
前記空気袋は、内部空間が前記ラドン溶出水槽の外部と連通しており、前記ラドン溶出水槽内の前記ラドン含有水が前記ラドン含有水供給手段によって送り出され、前記ラドン溶出水槽内の前記ラドン含有水が減少すると、前記ラドン含有水の減少した容積分だけ空気を取り入れる、
ことを特徴とする請求項１に記載のラドンミスト発生ユニット。
【請求項４】
前記ラドン含有水貯留タンクは、前記ラドン含有水貯留タンクの内部温度を検知する温度センサが設置され、
前記ラドン含有水加熱手段は、前記温度センサの検知結果に基づいて通電制御される、
ことを特徴とする請求項１乃至３のいずれかに記載のラドンミスト発生ユニット。
【請求項５】
前記ラドン含有水貯留タンクは、前記ラドン含有水貯留タンク内のラドン含有水の水量を検知する水量検知センサが設置され、
前記ラドン含有水加熱手段は、前記水量検知センサが水量不足を検知すると、通電が遮断される、
ことを特徴とする請求項１乃至４のいずれかに記載のラドンミスト発生ユニット。
【請求項６】
送風機と、この送風機から送り出された空気流を前記ラドン含有水貯留タンクの熱で暖めて前記ラドン案内路から送り出されるラドンと共に前記ラドン吸入室に送り込む送風管と、を備えた、
ことを特徴とする請求項１乃至５のいずれかに記載のラドンミスト発生ユニット。
【請求項７】
前記ラドン案内路の前記ラドン吸入室側の出口は、前記ラドン吸入室内の下部から上方へ向けて前記ラドンミストを噴出するようになっている、
ことを特徴とする請求項１乃至６のいずれかに記載のラドンミスト発生ユニット。
【請求項８】
前記ラドン案内路の一部は、前記ラドン吸入室内の療養者の背骨を水蒸気の温熱で暖めることができるように、前記ラドン吸入室内の前記療養者の背中が押し当てられる壁面に埋設された、
ことを特徴とする請求項１乃至７のいずれかに記載のラドンミスト発生ユニット。
【請求項９】
放射性物質含有鉱石及び水を収容し、前記水にラドンが溶け込んだラドン含有水を生成するラドン溶出水槽と、
前記ラドン溶出水槽内の前記ラドン含有水をラドン含有水供給路に送り出すラドン含有水供給手段と、
前記ラドン含有水供給路の下流側端部に配置され、前記ラドン含有水供給手段から送り出された前記ラドン含有水を貯留するラドン含有水貯留タンクと、
前記ラドン含有水貯留タンクに設置され、前記ラドン含有水貯留タンク内のラドン含有水を加熱してラドン含有湯にするラドン含有水加熱手段と、
前記ラドン含有水貯留タンクから送り出された前記ラドン含有湯をラドン吸入室まで運び、ラドン吸入療法に適したラドン濃度のラドンミストを前記ラドン吸入室内に噴出させるラドン含有湯案内路と、を備え、
前記ラドン含有水供給手段は、前記ラドン含有水貯留タンクが前記ラドン含有水で満たされると一時停止し、前記ラドン含有水貯留タンク内の前記ラドン含有水が前記ラドン含有水加熱手段によって所定温度まで加熱されると再起動させられ、前記ラドン含有水を前記ラドン含有水貯留タンクに送り込むことにより、前記ラドン含有水貯留タンク内の前記ラドン含有湯を前記ラドン含有湯案内路に送り出す、
ことを特徴とするラドンミスト発生ユニット。
【発明の詳細な説明】
【技術分野】
【０００１】
この発明は、ラドンが溶け込んだラドン含有水を加熱し霧状にしてラドン吸入室内に放出し、ラドン吸入室内の療養者の生活習慣病の対処療法などに利用するラドンミスト発生ユニットに関するものである。
【背景技術】
【０００２】
従来から、日本において、ラドン温泉として有名な三朝温泉の各種疾病に対する治療効果が広く知られている。また、オーストリア及びドイツにおいて、ラドン吸入療法が神経痛や末梢循環障害等の医療行為として認められている。そして、このような、ラドン等の放射線壊変生成物を含有する温泉などの効能に着目した各種装置が案出されている。
【０００３】
例えば、浴室などの閉鎖された空間（ラドン吸入室）内に設置するだけでラドンミストサウナ浴施設を実現できるラドンミスト発生装置が既に案出されている。このラドンミスト発生装置は、外部から供給される原料水の加熱手段を備えた蒸気槽と、放射性物質を担持させた多孔質セラミックスパネルを備えたラドン放出槽とから構成してあり、蒸気槽から導出した水蒸気を含む湿潤空気がラドン放出槽内の多孔質セラミックスパネルを透過することにより、ラドンミストがラドン放出槽内において生成され、そのラドン放出槽内のラドンミストがラドン放出槽外（例えば、ラドン吸入室内）へ噴出させられるようになっている（特許文献１参照）。
【先行技術文献】
【特許文献】
【０００４】
【特許文献１】特開２００８−１４２３２６号公報
【発明の概要】
【発明が解決しようとする課題】
【０００５】
このような従来のラドンミスト発生装置は、ラドンミストがラドン放出槽内で循環させられ、ラドンミストが多孔質セラミックスパネルを複数回通過させられることにより、ラドン吸入療法に有効な濃度（ラドン濃度）のラドンミストが生成されるようになっている。したがって、従来のラドンミスト発生装置は、ラドン吸入療法を開始するまでに長い準備時間が必要であった。
【０００６】
そこで、本発明は、短時間でラドン吸入療法を開始できるようにしたラドンミスト発生ユニットの提供を目的とする。
【課題を解決するための手段】
【０００７】
本発明のラドンミスト発生ユニット１は、図１に示すように、
ａ．放射性物質含有鉱石１０及び水１１を収容し、前記水１１にラドンが溶け込んだラドン含有水（１１）を生成するラドン溶出水槽４と、
ｂ．前記ラドン溶出水槽４内の前記ラドン含有水（１１）をラドン含有水供給路２０に送り出すラドン含有水供給手段１３と、
ｃ．前記ラドン含有水供給路２０の下流側端部に配置され、前記ラドン含有水供給手段１３から送り出された前記ラドン含有水（１１）を貯留するラドン含有水貯留タンク２１と、
ｄ．前記ラドン含有水貯留タンク２１に設置され、前記ラドン含有水貯留タンク２１内のラドン含有水（１１）を加熱し、加熱したラドン含有水（１１）から前記ラドンを分離させると共に水蒸気を生じさせるラドン含有水加熱手段２４と、
ｅ．前記ラドン含有水貯留タンク２１内の前記ラドンを前記水蒸気によってラドン吸入室２まで運び、ラドン吸入療法に適したラドン濃度のラドンミストを前記ラドン吸入室２内に噴出させるラドン案内路２３と、
を備えている。
【発明の効果】
【０００８】
本発明のラドンミスト発生ユニットによれば、ラドン溶出水槽内のラドン含有水がラドン含有水供給手段によってラドン含有水供給路を介してラドン含有水貯留タンクに送られ、ラドン含有水貯留タンク内のラドン含有水がラドン含有水加熱手段によって加熱されることにより、ラドン含有水貯留タンク内でラドンがラドン含有水から分離されると共に水蒸気が生じ、ラドン含有水貯留タンク内のラドンが水蒸気によってラドン案内路を運ばれ、ラドン吸入療法に適したラドン濃度のラドンミストがラドン案内路からラドン吸入室に供給されるようになっている。そのため、本発明のラドンミスト発生ユニットは、従来例と比較し、ラドンミストをラドン放出槽内で循環させる時間が不要になり、短時間でラドン吸入療法を開始できる。
【図面の簡単な説明】
【０００９】
【図１】本発明の第１実施形態に係るラドンミスト発生ユニットの構造図である。
【図２】本発明の第１実施形態に係るラドンミスト発生ユニットを組み付けたラドン吸入室の正面図である。
【図３】本発明の第１実施形態に係るラドンミスト発生ユニットを組み付けたラドン吸入室の側面図である。
【図４】図２のＡ１−Ａ１線に沿って切断して示すラドン吸入室の断面図である。
【図５】図３のＡ２−Ａ２線に沿って切断して示すラドン吸入室の断面図である。
【図６】ラドン吸入室の変形例を示す図であり、図４に対応する図である。
【図７】本発明の第２実施形態に係るラドンミスト発生ユニットの構造図である。
【図８】本発明の第３実施形態に係るラドンミスト発生ユニットの部分的構造図である。
【図９】本発明の第４実施形態に係るラドンミスト発生ユニットの部分的構造図である。
【発明を実施するための形態】
【００１０】
以下、本発明の実施形態を図面に基づき詳述する。
【００１１】
［第１実施形態］
図１は、本発明の実施形態に係るラドンミスト発生ユニット１の構造図である。また、図２乃至図５は、本発明の実施形態に係るラドンミスト発生ユニット１を組み付けたラドン吸入室２を示す図である。
【００１２】
図１に示すように、本実施形態に係るラドンミスト発生ユニット１は、装置本体３内の下部にラドン溶出水槽４が設置されている。このラドン溶出水槽４は、ステンレスの板材で直方体形状に形成され、上蓋５が開閉又は着脱できるようになっており、図示しないフレーム等によって装置本体３に固定されている。ラドン溶出水槽４の内部底面６には、複数段のトレイ７を備えた鉱石陳列棚８が置かれている。そして、この鉱石陳列棚８の各トレイ７上には、ラジウム鉱石（放射性物質含有鉱石）１０が置かれている。なお、各トレイ７は、ラジウム鉱石１０と水１１との接触面積を大きくするため、水１１の通過を可能にする通水穴（図示せず）が多数設けられていることが好ましい。
【００１３】
また、図１に示すように、ラドン溶出水槽４は、上蓋５が開かれるか又は取り外された後、水１１が上部の開口部分から内部に注入されるようになっている。このラドン溶出水槽４内には、鉱石陳列棚８上の全てのラジウム鉱石１０が水没する十分な量の水１１が注入される。そして、このラドン溶出水槽４は、ラドンミスト発生ユニット１が使用されない夜間に、ラジウム鉱石１０から水１１にラドンが溶け込み、ラドン吸入療法に使用できるラドン濃度のラドン含有水（１１）が生成される。なお、ラドン溶出水槽４は、３０Ｌ（リットル）程度の水１１を収容できるようになっているが、この容量に限定されるものでなく、療養者（利用者）が１回に使用するラドン含有水量及び１日の療養者数等に応じた容量のものが使用される。
【００１４】
ラドン溶出水槽４は、内部底面６の近傍に開口するラドン含有水取水路１２が挿入されている。このラドン含有水取水路１２は、ラドン溶出水槽４内とポンプ（ラドン含有水供給手段）１３の吸入ポート１４とを接続しており、ラドン溶出水槽４内のラドン含有水（１１）をポンプ１３に案内するようになっている。なお、ラドン含有水取水路１２のラドン含有水吸入口１２ａには、ラジウム鉱石片等の吸い込みを防止するフィルタを設置してもよい。
【００１５】
また、ラドン溶出水槽４は、水槽内の上部に冷却手段（例えば、保冷剤）１５を収容する冷却手段収容部１６が区画形成され、この冷却手段収容部１６に収容された冷却手段１５が水槽内のラドン含有水（１１）を冷却できるようになっている。その結果、ラドン溶出水槽４内のラドン含有水（１１）の水温は、ラドン含有水（１１）からラドンが分離するのを防止できる２５℃未満の温度に冷却される。なお、冷却手段収容部１６の底部を構成するプレート１７で、且つ、冷却手段１５を乗せるプレート１７は、通気口が多数設けられており、ラドン溶出水槽４内において空気の自然対流が生じるようになってる。
【００１６】
図１及び図４に示すように、ポンプ１３は、吸入ポート１４がラドン含有水取水路１２を介してラドン溶出水槽４内と接続され、吐出ポート１８がラドン含有水供給路２０を介してラドン含有水貯留タンク２１の底部に接続されている。このポンプ１３は、ラドン溶出水槽４の上方に配置され、図示しないフレーム等を介して装置本体３の内部に固定されている。そして、このポンプ１３は、制御装置２２によって作動制御され、ラドン溶出水槽４内のラドン含有水（１１）をラドン含有水取水路１２を介して吸入ポート１４から内部に吸入し、吐出ポート１８からラドン含有水供給路２０に送り出すようになっている。このポンプ１３によってラドン含有水供給路２０に送り出されたラドン含有水（１１）は、ラドン含有水供給路２０の下流端に接続されたラドン含有水貯留タンク２１内に送り込まれる。
【００１７】
図１及び図４に示すように、ラドン含有水貯留タンク２１は、ポンプ１３の上方に配置され、図示しないフレーム等によって装置本体３内に固定されている。このラドン含有水貯留タンク２１は、略円筒状の密閉容器であり、ステンレス鋼等で形成され、長期間使用できるように形作られている。そして、このラドン含有水貯留タンク２１は、底部がラドン含有水供給路２０を介してポンプ１３の吐出ポート１８に接続され、上部がラドン案内路２３を介してラドン吸入室２に接続されており、ポンプ１３から送り出されたラドン含有水（１１）を所定量（例えば、２リットル）貯留できる内部空間を有している。
【００１８】
また、ラドン含有水貯留タンク２１は、棒状のヒータ（ラドン含有水加熱手段）２４が取り付けられており、このヒータ２４が制御装置２２によって通電制御されることにより、内部のラドン含有水（１１）が加熱されるようになっている。また、このラドン含有水貯留タンク２１は、内部の温度を検知する温度センサ２５が取り付けられており、温度センサ２５の検知データが制御装置２２に入力されるようになっている。そして、このラドン含有水貯留タンク２１は、ラドン含有水（１１）がヒータ２４によって加熱されることにより、ラドン含有水（１１）から分離させられたラドンと水蒸気とが内部空間２６に充満し、内部空間２６内の圧力とラドン吸入室２内の圧力とに圧力勾配が生じると、ラドン及び水蒸気をラドン案内路２３側へ送り出すようになっている。また、ラドン含有水貯留タンク２１は、内部のラドン含有水（１１）の量を検知する水量検知センサ２９が設けられており、水量検知センサ２９により検知された水量データが制御装置２２に入力されるようになっている。
【００１９】
図１に示すように、操作部２７は、作業者が容易に視認でき且つ容易に操作できるように、装置本体３に固定されており、制御装置２２に電気的に接続されている。そして、この操作部２７には、メインスイッチ２８がオンの状態で停止しているポンプ１３を駆動させるスタートボタン３１と、メインスイッチ２８がオンの状態においてもヒータ２４の加熱を停止させる（ヒータ２４への通電を遮断する）ヒータオフボタン３３が設けられている。また、操作部２７には、ポンプ１３の作動時間を設定するための作動時間設定部３０ａが表示手段３０の近傍に設けられ、作動時間設定部３０ａで設定したポンプ１３の作動時間が表示手段３０に表示されるようになっている。ヒータ温度設定部３４は、ヒータ２４の温温度を設定する温度設定ボタン３４ａと、この温度設定ボタン３４ａで設定されたヒータ２４の管理温度を表示するヒータ管理温度表示手段（例えば、液晶表示パネル）３４ｂとが設けられている。なお、このヒータ温度設定部３４は、操作部２７と一体化してもよい。
【００２０】
制御装置２２は、操作部２７のメインスイッチ２８がオン操作されると、ラドン含有水貯留タンク２１のヒータ２４、ラドン含有水貯留タンク２１の温度センサ２５、ラドン含有水貯留タンク２１の水量検知センサ２９、表示手段（例えば、液晶表示パネル）３０、及びヒータ温度設定部３４等に通電すると共に、電源表示ランプ３２を点灯させる。ポンプ１３は、制御装置２２によって駆動時間がコントロールされており、スタートボタン３１がオンされると作動を開始し、ラドン溶出水槽４内のラドン含有水（１１）を所定量（１回のラドン吸入療法に適した量、例えば、２リットル）だけラドン含有水貯留タンク２１内に供給した後に（所定時間作動した後に）停止する。ラドン含有水貯留タンク２１内に送り込まれたラドン含有水（１１）は、ヒータ２４によって加熱され、ラドンが水から分離されると共に、水蒸気を発生させる。そして、ラドン含有水貯留タンク２１内の温度は、温度センサ２５によって検知され、その温度センサ２５の検知データに基づいて、操作部２７の表示手段３０に表示される。この操作部２７の表示手段３０に表示された温度が所定温度（ラドン吸入療法に適したラドン及び水蒸気がラドン案内路２３を介してラドン吸入室２内に送り出される温度）に達したことを作業者が視認すると、療養者は作業者によってラドン吸入室２内に案内され、ラドン吸入療法が開始される。
【００２１】
また、制御装置２２は、ラドン吸入療法が終了し、メインスイッチ２８がオフ操作されると、ラドン含有水貯留タンク２１のヒータ２４、ラドン含有水貯留タンク２１の温度センサ２５、ラドン含有水貯留タンク２１の水量検知センサ２９、表示手段（例えば、液晶表示パネル）３０、ヒータ温度設定部３４，及びポンプ１３等への通電を遮断し、ラドンミスト発生ユニット１の作動を停止させる。また、制御装置２２は、メインスイッチ２８がオフ操作されず、また、ヒータスイッチ３３がオフ操作されない場合、ラドン含有水貯留タンク２１のヒータ２４の温度を設定温度（管理温度）に維持できるように温度センサ２５の検知データに基づいて制御するようになっている。また、制御装置２２は、ラドン含有水貯留タンク２１の水量検知センサ２９がラドン含有水貯留タンク２１内のラドン含有水（１１）の水量不足（水量が所定値以下になったこと）を検知すると、その水量検知センサ２９の検知信号に基づいてヒータ２４への通電を遮断する。なお、制御装置２２は、メインスイッチ２８がオフ操作されず、また、ヒータスイッチ３３がオフ操作されない場合、ヒータ２４へ通電し続けるようになっているが、温度センサ２５により検知される温度が設定温度（管理温度）以上になった後、所定時間（例えば、ラドン吸入療法に必要な時間）が経過すると、ヒータ２４への通電を遮断するようにしてもよい。また、制御装置２２は、図１に示すように操作部２７と別に配置してもよく、また、操作部２７と一体に配置して制御装置ユニットを構成してもよい。
【００２２】
図１及び図４に示すように、ラドン案内路２３は、上流端がラドン含有水貯留タンク２１に接続され、下流端がラドン吸入室２の下部に開口するように延設され、ラドン吸入室２の最下部に位置する部分が排水管（排水用のＵ字管）３５を介してドレンタンク６０に接続されている。そして、このラドン案内路２３は、ラドン含有水貯留タンク２１内のラドンと水蒸気とをラドン吸入室２まで案内し、ラドン吸入室２への開口端であるラドン噴出口３６からラドン吸入療法に適したラドン濃度のラドンミストをラドン吸入室２内に噴出させる。また、ラドン案内路２３は、水蒸気の一部が冷やされて水滴となって付着するが、その水滴が内壁面を重力で最下部まで落下し、排水管３５側に排水されるようになっている。なお、排水管３５に排水された水は、ラドンが分離されており、ドレンタンク６０に回収された後、還流路６１のバルブ６２が開かれると、ラドン溶出水槽４に戻されて再利用される。
【００２３】
図２乃至図５は、ラドン吸入室２を示す図である。これらの図に示すように、ラドン吸入室２は、土台部３７によって支持されており、土台部３７の背面側に組み付けられたラドン発生ユニット１によって生成されたラドンと水蒸気がラドン案内路２３を介して内部空間（室内）３８に噴出させられる。このラドン吸入室２は、略半円筒の吸入室本体部４０の正面側開口部４１を斜め上方へ向け、吸入室本体部４０の一側面側（図２及び図５の左側面側）の開口端全域及び吸入室本体部４０の正面側開口部４１の一部が封止用透明プラスチック板４２，４３で塞がれている。また、ラドン吸入室２は、吸入室本体部４０の他側面側（図２及び図５の右側面側）の開口端及び吸入室本体部４０の正面側開口部４１の他部（封止用透明プラスチック板４３で塞がれていない部分）が透明プラスチック板で形成された開閉扉４４によって開閉されるようになっている。開閉扉４４は、吸入室本体部４０の正面側開口部４１に固定された封止用透明プラスチック板４３の端部にヒンジ４５を介して回動可能な状態で取り付けられている。そして、この開閉扉４４は、療養者４６が片手で容易に開閉操作できるように、円弧状の長い（握り拳の複数倍の長さの）操作用取っ手４７が固定されると共に、全体が軽く形成されている。
【００２４】
また、図２乃至図５に示すように、ラドン吸入室２は、吸入室本体部４０の外壁４８がベニヤ板等の比較的に軽量（鉄に比較して軽量）な材料で形成され、その外壁４８の内側にラドン案内路２３の一部が配置されている。ラドン案内路２３は、ラドン含有水貯留タンク２１から延びており、吸入室本体部４０の外壁４８の上部から外壁４８の内側に引き込まれている。このラドン吸入室２の外壁４８の内側に引き込まれたラドン案内路２３は、略半円筒の外壁４８の内側に沿ってラドン吸入室２の正面側開口部４１の近傍まで延び、ラドン吸入室２内に開口するラドン噴出口３６に接続される。このラドン案内路２３のラドン吸入室２側の出口であるラドン噴出口３６は、ラドン吸入室２内に座った療養者４６の足先近傍に位置し、ラドン吸入室２の下部から上方の内部空間３８へ向けてラドンミストを噴出するようになっている。また、ラドン案内路２３は、図５に示すように、ラドン吸入室２の幅方向の略中央部に配置されている。
【００２５】
また、図４及び図５に示すように、ラドン案内路２３は、療養者４６がラドン吸入室２内に寝そべるように座った場合、内部を流れる水蒸気の温熱で療養者４６の背骨を暖めることができるように、療養者４６の背中が押し当てられる壁面に埋設されている。また、ラドン案内路２３は、その周囲に伝熱性が良好で且つ軟らかい繊維状金属（図示せず）が巻き付けられるか又は埋め込まれており、ラドン吸入室２内に寝そべるように座った療養者４６の背骨を確実に暖めることができるようになっている。そして、療養者４６の体が接触するラドン吸入室２の内壁面５０は、人工皮革又は天然皮革によって形作られており、外壁４８の内側に配置された発泡スチロール等のクッション性に優れた断熱部材５１の表面に張り渡されている。その結果、ラドン吸入室２内に寝そべるように座った療養者４６の体は、ラドン案内路２３や繊維状金属に接触することがない。そして、ラドン吸入室２内の療養者４６は、ラドン吸入療法と温熱療法を同時に受けることが可能になる。
【００２６】
また、図４及び図５に示すように、ラドン吸入室２は、療養者４６が寝そべるように座った場合、療養者４６が円弧形状の曲面（略半円筒状の曲面）である内壁面５０に接するようになっているため、療養者４６の背中（特に背骨周辺）が療養者４６の自重で確実に内壁面５０に押し付けられる。その結果、療養者４６の背骨は、ラドン吸入室２に埋め込まれたラドン案内路２３の熱によって確実に暖められる。
【００２７】
以上のように、本実施形態に係るラドンミスト発生ユニット１は、ラドン溶出水槽４内のラドン含有水（１１）を所定量だけポンプ１３でラドン含有水貯留タンク２１へ移し、ラドン含有水貯留タンク２１内のラドン含有水（１１）をヒータ２４で加熱することにより、ラドンを水から分離すると共に水蒸気を発生させ、ラドン含有水貯留タンク２１内とラドン吸入室２内とに圧力差が生じると、ラドンと水蒸気とがラドン含有水貯留タンク２１からラドン案内路２３を通過してラドン吸入室２側に向けて移動し、水蒸気とラドンの混ざり合った状態のラドンミスト（ラドン吸入療法に適したラドン濃度のラドンミスト）がラドン吸入室２に噴出するようになっている。そのため、本実施形態に係るラドンミスト発生ユニット１は、従来例と比較し、ラドンミストをラドン放出槽内で循環させる時間が不要になり、短時間でラドン吸入療法を開始できる。
【００２８】
また、本実施形態に係るラドンミスト発生ユニット１は、ラドン溶出水槽４内の上部に配置された冷却手段１５がラドン溶出水槽４内の雰囲気及びラドン含有水（１１）を２５℃未満の温度に冷却し、ラドン含有水（１１）からラドンが分離するのを防止できるため、ラドン溶出水槽４内のラドン含有水（１１）の温度が２５℃以上になりやすい夏期や常時温暖な地域で使用する場合にも、ラドン吸入療法に適したラドン濃度のラドンミストをラドン吸入室２に供給できる。
【００２９】
また、本実施形態に係るラドンミスト発生ユニット１は、メインスイッチ２８がオフ操作されず、また、ヒータオフスイッチ３３が操作されない場合において、温度センサ２５により検知された温度が設定温度以上になった後、所定時間（例えば、ラドン吸入療法に必要な時間）が経過すると、制御装置２２がヒータ２４への通電を遮断するように構成すれば、ラドン含有水貯留タンク２１内が必要以上に加熱されるのを防止できると共に、消費電力を削減することが可能になる。
【００３０】
また、本実施形態に係るラドンミスト発生ユニット１は、ラドンミストをラドン吸入室２の下部から上方へ向けて噴出するようになっているため、比重の重いラドンがラドン吸入室２内の療養者４６の顔の近傍を流動し易くなり、療養者４６がラドンを吸入し易くなるため、ラドン吸入療法が効率的に行われる。
【００３１】
また、本実施形態に係るラドンミスト発生ユニット１は、ラドン案内路２３をラドン含有水貯留タンク２１からラドン吸入室２に向けて流動する水蒸気の熱で療養者４６の背骨が暖められるようになっているため、ラドン吸入療法と温熱療法を同時に受けることが可能になる。
【００３２】
（変形例）
図６は、ラドン吸入室２の変形例を示す図であり、図４に対応する図である。この図６に示すように、本変形例に係るラドン吸入室２は、療養者４６の折り曲げた足の内側（下腿部の内側と上腿部の内側）を引っ掛けるようになっている足掛け台５２が設置されている。
【００３３】
このような本変形例に係るラドン吸入室２によれば、療養者４６の足が足掛け台５２によって支えられるため、ラドン吸入室２内における療養者４６の体の位置決めを行うことができると共に、療養者４６が楽な姿勢でラドン吸入療法を受けることができるようになる。
【００３４】
［第２実施形態］
図７は、本発明の第２実施形態に係るラドンミスト発生ユニット１の構造図である。なお、本実施形態に係るラドンミスト発生ユニット１は、ラドン溶出水槽４が第１実施形態に係るラドンミスト発生ユニット１のラドン溶出水槽４と相違するが、他の構成が第１実施形態に係るラドンミスト発生ユニット１と同様である。
【００３５】
本実施形態に係るラドンミスト発生ユニット１のラドン溶出水槽４は、ラジウム鉱石１０を収容した鉱石収容ボックス６３が内部底面６上に置かれ、この鉱石収容ボックス６３の上に伸縮自在な空気袋６４が配置されている。また、このラドン溶出水槽４は、内部の空気を排出するためのエア抜きバルブ６５が上壁部６６に設置されており、内部に水１１を満たす際にエア抜きバルブ６５が開かれ、内部に水が満たされた後にエア抜きバルブ６５が閉じられることにより、水１１と空気とが直接接触しないようになっている。
【００３６】
鉱石収容ボックス６３は、プラスチック又は金属でメッシュ状に形成されており、ラドン溶出水槽４内に収容された水１１が開口部（図示せず）を介して出入りでき、ラジウム鉱石１０と水１１とが接触してラジウム含有水（１１）が生成されるようになっている。
【００３７】
空気袋６４は、ラドン含有水（１１）がラドン溶出水槽４内からポンプ１３で吸い出され、ラドン溶出水槽４のラドン含有水（１１）が減少すると、外部の空気を空気袋６４の内部空間に導き入れ、ラドン含有水（１１）が減少した分のラドン溶出水槽４内の容積を空気で埋めるようになっている。この空気袋６４は、蛇腹状に形成されたビニール袋（ポリ塩化ビニル等の軟質プラスチック製の袋）であり、内部空間が空気取り入れ具６７を介してラドン溶出水槽４の外部に開口している。なお、空気取り入れ具６７は、ラドン溶出水槽４に図示しないパッキン等を介して密封された状態で固定されており、ラドン溶出水槽４内のラドン含有水（１１）が漏出しないように、且つ、外部の空気がラドン溶出水槽４との隙間からラドン溶出水槽４内に流入しないように構成されている。また、この空気取り入れ具６７は、空気袋６４の空気取り入れ口６８に密封された状態で固定されており、空気袋６４との固定部から空気が漏れないようになっている。
【００３８】
このような構成の本実施形態に係るラドンミスト発生ユニット１は、第１実施形態に係るラドンミスト発生ユニット１と同様の効果を得ることができることはもちろんのこと、ラドン溶出水槽４内の水１１と空気との接触がなく、ラドンがラドン溶出水槽４内において水から分離することがないため、外気温や水温に影響されることがない。
【００３９】
［第３実施形態］
図８は、本発明の第３実施形態に係るラドンミスト発生ユニット１の部分的構造図である。この図８に示す本実施形態に係るラドンミスト発生ユニット１は、送風機７０から送り出された空気流を送風管７１を介してラドン吸入室２内に送り込むようになっている。
【００４０】
送風管７１は、送風機７０に接続された第１送風管７２と、この第１送風管に接続されてラドン案内路２３に沿って延びる第２送風管７３とを有している。第１送風管は、一端が送風機に接続され、途中がラドン含有水貯留タンクの周囲に巻き付けられ、他端が第２送風管に接続されている。第２送風管は、内部にラドン案内路２３を収容し、ラドン案内路２３との間に空気の流路７４が設けられており、一端側が第１送風管７２に接続され、他端がラドン噴出口３６を介してラドン吸入室２内に接続されている。なお、第２送風管７３は、一端側のラドン案内路受け入れ端７５が密封され、送風機７０から送られた空気流がラドン案内路受け入れ端７５から漏出しないようになっている。
【００４１】
このような構成の本実施形態に係るラドンミスト発生ユニット１は、第１実施形態に係るラドンミスト発生ユニット１と同様の効果を得ることができることはもちろんのこと、送風機７０から送り出された空気流が第１送風管７２内を流れる際にラドン含有水貯留タンク２１で暖められ、このラドン含有水貯留タンク２１で暖められた空気流が第２送風管７３内を流れた後にラドン噴出口３６からラドン及び水蒸気と共にラドン吸入室２内に送り込まれ、ラドンを勢い良くラドン吸入室２内で流動させることができるため、ラドン吸入療法をより一層効果的に行うことが可能になる。
【００４２】
［第４実施形態］
図９は、本発明の第４実施形態に係るラドンミスト発生ユニット１の部分的構造図である。なお、図９に示す本実施形態に係るラドンミスト発生ユニット１において、第１実施形態に係るラドンミスト発生ユニット１と同様の構成部分には同一符号を付し、第１実施形態に係るラドンミスト発生ユニット１の説明と重複する説明を省略する。
【００４３】
図９に示す本実施形態に係るラドンミスト発生ユニット１は、ラドン溶出水槽４内のラドン含有水（１１）をポンプ１３でラドン含有水貯留タンク２１内に送り込み、ラドン含有水貯留タンク２１内がラドン含有水（１１）で満たされると、ポンプが一時停止するようになっている。なお、ラドン含有水貯留タンク２１内がラドン含有水（１１）で満たされたか否かは、例えば、ラドン含有水貯留タンク２１内に設置された水量検知センサ（図示せず）によって検知する。又は、吐出量が一定のポンプ１３の作動時間（タイマーの設定時間）によって、ラドン含有水貯留タンク２１内がラドン含有水（１１）で満たされたとみなしてもよい。
【００４４】
ラドン含有水貯留タンク２１内のラドン含有水（１１）は、ポンプ１３が一時停止している間に、ヒータ２４によって所定温度（例えば、１００℃）まで加熱される。このラドン含有水貯留タンク２１内のラドン含有水（１１）の温度は、ラドン含有水貯留タンク２１に設置された温度センサ２５によって検知される。なお、ラドン含有水（１１）がヒータ２４によって加熱される所定温度は、ヒータ温度設定部３４によって適宜変更することができるようになっている（図１参照）。また、ラドン含有水（１１）は、ラドン含有水貯留タンク２１内でヒータ２４によって加熱され、ラドン含有湯となる。
【００４５】
ラドン含有水貯留タンク２１内のラドン含有水（１１）の温度が所定温度になると、ポンプ１３が再起動され、ラドン溶出水槽４内のラドン含有水（１１）がポンプ１３によってラドン含有水貯留タンク２１内に送り込まれると同時に、ラドン含有水貯留タンク２１内で加熱されたラドン含有湯がラドン含有水貯留タンク２１からラドン含有湯案内路７６に送り出される。なお、ラドン含有水供給路２０とラドン含有湯案内路７６は、ラドン含有水貯留タンク２１に送り込まれるラドン含有水（１１）の単位時間当たりの量とラドン含有水貯留タンク２１内から送り出されるラドン含有湯の単位時間当たりの量とが同じになるように、同一径のものが使用される。また、ラドン含有湯案内路７６は、ラドン含有水貯留タンク２１側に配置される第１案内路７７と、ラドン吸入室２側に配置される第２案内路７８とに大別されている。そして、第２案内路７８は、全体が外側ガイド管８０内に収容され、外側ガイド管８０の内壁との間に隙間８１が設けられている。外側ガイド管８０は、最下部に排水口８２が設けられており、この排水口８２が排水管３５に接続されている。そして、これら外側ガイド管８０及び第２案内路７８は、第１実施形態におけるラドン案内路２３と同様に、ラドン吸入室２の略半円筒の外壁４８の内側に沿ってラドン吸入室２の正面側開口部４１の近傍まで延びている（図４参照）。また、ラドン含有湯案内路７６は、第１案内路７７がシリコンチューブで形成され、第２案内路７８がアルミニウムチューブで形成され、第１案内路７７と第２案内路７８が外側ガイド管８０の内部でコネクトチューブ８３によってシールされた状態で接続されている。また、外側ガイド管８０は、全体を容易に湾曲させることができるように、蛇腹状のステンレスチューブが使用され、ラドン含有湯案内路７６を流動するラドン含有湯の熱が伝熱されるようになっている。また、外側ガイド管８０のラドン含有水貯留タンク２１側の端部は、封止栓８４によって密封されている。
【００４６】
ラドン含有湯案内路７６に送り出されたラドン含有湯は、ラドン吸入室側端部８５から流出し、ラドン吸入療法に適したラドン濃度のラドンと水蒸気（ラドンミスト）が湯から分離して外側ガイド管８０のラドン噴出口３６からラドン吸入室２内に放出され、湯（ラドンが分離された湯）がラドン含有湯案内路７６（第２案内路７８）と外側ガイド管８０との隙間８１を排水口８２まで流れ落ち、湯が排水管３５を介してドレンタンク６０に回収される。
【００４７】
ポンプ１３は、再起動後、所定時間（ラドン吸入療法に必要な時間であり、予めタイマーによって設定された時間）が経過した後に停止する。これにより、１回のラドン吸入療法が終了する。そして、メインスイッチ２８をオフ操作すると、ラドンミスト発生ユニット１への通電が遮断される（図１参照）。なお、ラドン吸入療法を継続して行う場合には、スタートボタン３１を押すと、ラドン含有水貯留タンク２１内に残っているラドン含有湯の温度がヒータ２４によって所定温度に維持されているため、ポンプ１３が再起動し、ラドン溶出水槽４内のラドン含有水（１１）がポンプ１３によってラドン含有水貯留タンク２１内に送り込まれると同時に、ラドン含有水貯留タンク２１内で加熱されたラドン含有湯がラドン含有水貯留タンク２１からラドン含有湯案内路７６に送り出される。
【００４８】
以上のような本実施形態に係るラドンミスト発生ユニット１は、従来例と比較し、ラドンミストをラドン放出槽内で循環させる時間が不要になり、短時間でラドン吸入療法を開始できる。
【００４９】
また、本実施形態に係るラドンミスト発生ユニット１は、第１実施形態に係るラドンミスト発生ユニット１と同様に、ラドンミストをラドン吸入室２の下部から上方へ向けて噴出するようになっているため、比重の重いラドンがラドン吸入室２内の療養者４６の顔の近傍を流動し易くなり、療養者４６がラドンを吸入し易くなるため、ラドン吸入療法が効率的に行われる（図４参照）。
【００５０】
また、本実施形態に係るラドンミスト発生ユニット１は、ラドン含有湯案内路７６を流動するラドン含有湯の熱で療養者４６の背骨が暖めることができるため、ラドン吸入療法と温熱療法を同時に受けることが可能になる（図４参照）。
【００５１】
なお、ラドン含有湯案内路７６は、第１案内路７７と第２案内路７８をシリコンチューブで一体に形成してもよい。また、ラドン含有湯案内路７６及び外側ガイド管８０は、適宜最適の材料が選択される。
【符号の説明】
【００５２】
１……ラドンミスト発生ユニット、２……ラドン吸入室、４……ラドン溶出水槽、１０……ラジウム鉱石（放射性物質含有鉱石）、１１……水、（１１）……ラドン含有水、１３……ポンプ（ラドン含有水供給手段）、２０……ラドン含有水供給路、２１……ラドン含有水貯留タンク、２３……ラドン案内路、２４……ヒータ（ラドン含有水加熱手段）
【図１】
2016165376.tif 000003
【図２】
2016165376.tif 000004
【図３】
2016165376.tif 000005
【図４】
2016165376.tif 000006
【図５】
2016165376.tif 000007
【図６】
2016165376.tif 000008
【図７】
2016165376.tif 000009
【図８】
2016165376.tif 000010
【図９】
2016165376.tif 000011